(57)【要約】【課題】  コストアップを最小限に抑えながら、１台で３台以上の赤外線ワイヤレスマイクロホンに対応できるようにする。【解決手段】  赤外線ワイヤレスマイクロホンから送信される赤外線信号を受光するフォトダイオード１１と、フォトダイオード１１の接合容量Ｃおよびコイル１２のインダクタンスＬよりなる同調回路と、上記同調回路にて検波された受信信号を増幅する増幅回路１４とを含み、送信側の赤外線ワイヤレスマイクロホンが３台以上であり、その各々に異なる送信周波数が割り当てられている赤外線受信アンテナにおいて、上記同調回路の共振周波数が各送信周波数のほぼ中央に存在するようにインダクタンスＬが調整され、かつ、上記共振周波数の共振の鋭さＱを下げるための抵抗素子１３が上記コイル１２に対して並列に接続されている。【選択図】  図１
2005151274.tif 000002
【特許請求の範囲】
【請求項１】
赤外線ワイヤレスマイクロホンから送信される赤外線信号を受光するフォトダイオードと、上記フォトダイオードの接合容量ＣおよびコイルのインダクタンスＬよりなる同調回路と、上記同調回路にて検波された受信信号を増幅する増幅回路とを含み、送信側の上記赤外線ワイヤレスマイクロホンが３台以上であり、その各々に異なる送信周波数が割り当てられている赤外線受信アンテナにおいて、
上記同調回路の共振周波数が上記各送信周波数のほぼ中央に存在するように上記インダクタンスＬが調整され、かつ、上記共振周波数の共振の鋭さＱを下げるための抵抗素子が上記コイルに対して並列に接続されていることを特徴とする赤外線受信アンテナ。
【請求項２】
上記抵抗素子により上記共振の鋭さＱが上記抵抗素子がない場合に比べて少なくとも３．０〜５．０デシベル下げられている請求項１に記載の赤外線受信アンテナ。
【請求項３】
上記フォトダイオードとして、入射赤外線波長８５０ｎｍ時における受光感度が５００〜６００ｍＡ／Ｗを示す高感度フォトダイオードを用いる請求項１または２に記載の赤外線受信アンテナ。
【発明の詳細な説明】
【技術分野】
【０００１】
本発明は、赤外線ワイヤレスマイクロホンから送信される赤外線信号を受信する赤外線受信アンテナ（赤外線受光器）に関し、さらに詳しく言えば、１台で３台以上の赤外線ワイヤレスマイクロホンをカバーすることができる赤外線受信アンテナに関するものである。
【背景技術】
【０００２】
ワイヤレスマイクロホンには電波式と赤外線式とがあるが、電波式の場合には電波の漏洩により例えば隣室のマイクロホン装置との間で混信を起こしたり、また、盗聴されやすいなどの問題があるため、会議室や教室それにカラオケルームなとでは赤外線式のものが多用されている。
【０００３】
赤外線ワイヤレスマイクロホンシステムにおいても、同一の場所で例えば２台のマイクロホンを同時に使用する場合、混信が生じないようにするため、各マイクロホンには異なる送信周波数が割り当てられる。
【０００４】
これに伴って、赤外線受信アンテナもその共振ピークを送信周波数に合わせたものが用いられることになるが、これだと使用するマイクロホンの台数分の赤外線受信アンテナを設置しなければならないことになる。
【０００５】
この点を解決するため種々の提案がなされているが、そのひとつとして特許文献１においては、フォトダイオードによりワイヤレスマイクからの赤外線信号を受け、そのフォトダイオードの出力信号をＦＥＴの入力側に加える赤外線ワイヤレスマイクの受光装置において、フォトダイオードの接合容量とコイルとにより所定の周波数に共振する第１共振回路を形成するとともに、ＦＥＴの入力容量と別のコイルとにより第１共振回路とは異なった周波数に共振する第２共振回路を形成し、１台で２台のマイクロホンを受け持つことができるようにした受光装置が提案されている。
【０００６】
【特許文献１】特開平９−３７３７４号公報（図１，図２）
【発明の開示】
【発明が解決しようとする課題】
【０００７】
上記特許文献１によれば、確かに１台の受光装置で２台の赤外線ワイヤレスマイクロホンをカバーすることができるが、例えば図６に示すように、同時に使用される赤外線ワイヤレスマイクロホンが４台である場合には、それに応じて受光装置の数を増やさなければならない。
【０００８】
すなわち、４台のうち２台の赤外線ワイヤレスマイクロホンＭ１，Ｍ２の送信周波数が２ＭＨｚ帯に含まれる２．０６ＭＨｚと２．５６ＭＨｚであり、残りの２台の赤外線ワイヤレスマイクロホンＭ３，Ｍ４の送信周波数が３ＭＨｚ帯に含まれる３．２０ＭＨｚと３．７０ＭＨｚである場合には、２ＭＨｚ帯用の受光装置１Ａと３ＭＨｚ帯用の受光装置２Ａとが必要となる。
【０００９】
受光装置１Ａ，２Ａは遮蔽物の少ない天井や壁に設置されるが、講堂や大会議室などのような大きな部屋となると複数箇所に設置されることが多い。図６の例では３箇所であるため受光装置を合計６台必要とし、その各々について受光装置１Ａであればそれに対応する受信機（２．０６ＭＨｚと２．５６ＭＨｚの２つのチューナ内蔵）１Ｂまで配線し、受光装置２Ａであればそれに対応する受信機（３．２０ＭＨｚと３．７０ＭＨｚの２つのチューナ内蔵）２Ｂまで配線しなければならない。
【００１０】
また、図６のように受光装置１Ａと受光装置２Ａが３箇所に設置されている部屋をパーテーションで小部屋に仕切って使用するような場合には、そのレイアウトにしたがって受光装置を付け替えしなければならないこともある。
【００１１】
したがって、本発明の課題は、コストアップを最小限に抑えながら、１台で３台以上の赤外線ワイヤレスマイクロホンに対応できるようにした赤外線受信アンテナを提供することにある。
【課題を解決するための手段】
【００１２】
上記課題を解決するため、本発明は、赤外線ワイヤレスマイクロホンから送信される赤外線信号を受光するフォトダイオードと、上記フォトダイオードの接合容量ＣおよびコイルのインダクタンスＬよりなる同調回路と、上記同調回路にて検波された受信信号を増幅する増幅回路とを含み、送信側の上記赤外線ワイヤレスマイクロホンが３台以上であり、その各々に異なる送信周波数が割り当てられている赤外線受信アンテナにおいて、上記同調回路の共振周波数が上記各送信周波数のほぼ中央に存在するように上記インダクタンスＬが調整され、かつ、上記共振周波数の共振の鋭さＱを下げるための抵抗素子が上記コイルに対して並列に接続されていることを特徴としている。
【００１３】
本発明においては、各周波数帯での感度のバラツキを小さくするため、上記抵抗素子により上記共振の鋭さＱを積極的に下げるようにしているが、その下げ幅は上記抵抗素子がない場合に比べて少なくとも３．０〜５．０デシベルであることが好ましい。
【００１４】
また、上記共振の鋭さＱを下げることに伴って感度が低下することは否めないが、それ補償する意味で、上記フォトダイオードとして入射赤外線波長８５０ｎｍ時における受光感度が５００〜６００ｍＡ／Ｗを示す高感度フォトダイオードが好ましく採用される。
【発明の効果】
【００１５】
本発明によれば、フォトダイオードの接合容量ＣおよびコイルのインダクタンスＬよりなる同調回路の共振周波数が各送信周波数のほぼ中央に存在しているため広帯域化が図れるとともに、コイルに対して並列に接続されている抵抗素子により共振周波数の共振の鋭さＱが下げられている（鈍くされている）ため、各受信周波数の受信感度のバラツキが低く抑えられる。コスト的にも抵抗素子を追加するだけでよいため、そのコストアップも最小限で済ませられる。
【００１６】
これにより、１台の赤外線受信アンテナにて例えば２ＭＨｚ帯の２台の赤外線ワイヤレスマイクロホンおよび３ＭＨｚ帯の２台の赤外線ワイヤレスマイクロホンの合計４台（４チャンネル）の赤外線ワイヤレスマイクロホンに対応することができ、アンテナ設置時の配線作業を大幅に軽減することが可能となる。
【００１７】
また、本発明による例えば４チャンネル対応の赤外線受信アンテナが複数箇所に設置されている大きな部屋をパーテーションで小部屋に仕切って使用するような場合においても、そのレイアウトにしたがって受信アンテナを移し替える必要はなく、受信機側の接続切り換えだけで対応することができる。
【発明を実施するための最良の形態】
【００１８】
次に、図１ないし図５により本発明の実施形態について説明するが、本発明はこれに限定されるものではない。図１は本発明による赤外線受信アンテナ１０の等価回路図，図２ないし図４はその周波数特性図，図５は会議室などの部屋に対する上記赤外線受信アンテナ１０の配置例およびその部屋で使用される赤外線ワイヤレスマイクロホンを示す模式図である。
【００１９】
この例において、使用される赤外線ワイヤレスマイクロホンは４台であり、そのうちの２台の赤外線ワイヤレスマイクロホンＭ１，Ｍ２の送信周波数は２ＭＨｚ帯に含まれるａ１（２．０６ＭＨｚ）とａ２（２．５６ＭＨｚ）であり、残りの２台の赤外線ワイヤレスマイクロホンＭ３，Ｍ４の送信周波数は３ＭＨｚ帯に含まれるｂ１（３．２０ＭＨｚ）とｂ２（３．７０ＭＨｚ）である。
【００２０】
また、受信機としては、先に説明した従来例と同じく、ａ１（２．０６ＭＨｚ）とａ２（２．５６ＭＨｚ）の各周波数帯を復調する２つのチューナを内蔵している第１受信機１Ｂと、ｂ１（３．２０ＭＨｚ）とｂ２（３．７０ＭＨｚ）の各周波数帯を復調する２つのチューナ内蔵をしている第２受信機２Ｂの２台が用いられ、赤外線受信アンテナ１０は部屋の３箇所に設置されるものとする。なお、本発明において、赤外線受信アンテナとは赤外線受光器もしくは赤外線受信装置と同義である。
【００２１】
図１の等価回路図を参照して、この赤外線受信アンテナ１０には、赤外線ワイヤレスマイクロホンＭ１〜Ｍ４から送信される赤外線信号を受信するフォトダイオード１１と、このフォトダイオード１１に対してそれぞれ並列に接続されるコイル１２および抵抗素子１３と、フォトダイオード１１の出力信号を増幅する増幅回路１４とが含まれている。
【００２２】
図１において、フォトダイオード１１はひとつとして示されているが、複数個を並列に接続したものであってもよい。コイル１２はフォトダイオード１１の接合容量Ｃと同調回路を構成するために用いられる。コイル１２のインダクタンスをＬとすると、同調回路の共振周波数ｆ０はよく知られているように、
ｆ０＝１／２π√ＬＣ
で表される。
【００２３】
フォトダイオード１１からは図２に示すようにａ１（２．０６ＭＨｚ），ａ２（２．５６ＭＨｚ），ｂ１（３．２０ＭＨｚ），ｂ２（３．７０ＭＨｚ）の各周波数ごとに信号が出力されるが、本発明では広帯域化を図るためコイル１２のインダクタンスＬを調整して、図３に示すように同調回路の共振周波数ｆ０を例えばａ１〜ｂ２の４チャンネルのほぼ中央（約２．８８ＭＨｚ）に位置させている。
【００２４】
このままであると、チャンネルａ１とチャンネルａ２の感度差およびチャンネルｂ１とチャンネルｂ２の感度差が大きくなりすぎるため、本発明では、コイル１２に対して抵抗素子１３を並列に接続して、図４に示すように共振周波数ｆ０の共振の鋭さＱを積極的に下げ、各チャンネル間の感度差をできるだけ小さくするようにしている。
【００２５】
ちなみに、共振の鋭さＱは、
Ｑ＝１／Ｒ√（Ｌ／Ｃ）
で表され、Ｒの値によって共振の鋭さＱを調整することができる。フォトダイオード１１の接合容量Ｃは機種によって異なるが、この例においては、接合容量Ｃが４０ｐＦであるフォトダイオードを２個並列にして用いていることから、その合成接合容量Ｃは８０ｐＦであるため、コイル１２のインダクタンスＬを３９μＨとして共振周波数ｆ０をａ１〜ｂ２の４チャンネルのほぼ中央に位置させている。
【００２６】
また、抵抗素子１３の抵抗値を５．６ｋΩとして、共振周波数ｆ０の共振の鋭さＱを抵抗素子を入れないときのＱに比べて３．０〜５．０ｄＢ程度下げ、チャンネルａ１とチャンネルａ２の感度差およびチャンネルｂ１とチャンネルｂ２の感度差が２ｄＢ範囲内に納まるようにしている。
【００２７】
共振の鋭さＱを下げることにより全体としての感度は低下するが、この感度低下を補う意味で、フォトダイオード１１として入射赤外線波長８５０ｎｍ時における受光感度が５００〜６００ｍＡ／Ｗを示す高感度フォトダイオードを用いることが好ましい。
【００２８】
なお、この赤外線受光アンテナ１０の増幅回路１４には、少なくとも初段増幅回路が含まれていればよく、また、この増幅回路１４は通常よく用いられるＦＥＴ（電界効果トランジスタ）であってよい。
【００２９】
この赤外線受光アンテナ１０によれば、１台で４台の赤外線ワイヤレスマイクロホンＭ１〜Ｍ４に対応できるため、図５に示すように図６の従来例に比べて赤外線受光アンテナの設置台数を半分にすることができる。なお、各赤外線受光アンテナ１０は第１受信機１Ｂおよび第２受信機２Ｂに対して共通に接続される。
【００３０】
また、例えば図５に示す部屋をパーテーションで小部屋に仕切って使用するような場合においても、そのレイアウトにしたがって受信アンテナ１０を移し替える必要はなく、受信機側の接続切り換えだけで対応することができる。
【００３１】
上記赤外線受光アンテナ１０によると、同時に使用できる赤外線ワイヤレスマイクロホンの台数は最大４台である。したがって、同時に使用する赤外線ワイヤレスマイクロホンは１台もしくは２台，または３台であってもよい。
【００３２】
また、上記実施形態では受信機を２ＭＨｚ帯用の第１受信機１Ｂと３ＭＨｚ帯用の第２受信機２Ｂとに分けているが、ひとつの受信機内にａ１（２．０６ＭＨｚ），ａ２（２．５６ＭＨｚ），ｂ１（３．２０ＭＨｚ）およびｂ２（３．７０ＭＨｚ）の各周波数帯を復調する４つのチューナを内蔵させてもよい。
【００３３】
なお、赤外線ワイヤレスマイクロホンシステムにおける使用周波数は、従来より２ＭＨｚ帯，３ＭＨｚ帯が一般的に使われているため、上記実施形態の説明においても２ＭＨｚ帯と３ＭＨｚ帯としたが、本発明はこれ以外の周波数帯であっても適用可能である。
【図面の簡単な説明】
【００３４】
【図１】本発明による赤外線受信アンテナの等価回路図。
【図２】上記赤外線受信アンテナに含まれているフォトダイオードの出力信号を示すグラフ。
【図３】本発明において、同調回路の共振周波数を全送信周波数のほぼ中心に位置させた状態を示す特性図。
【図４】本発明において、上記共振周波数の鋭さＱを下げた状態を示す特性図。
【図５】本発明において、使用する赤外線ワイヤレスマイクロホンと赤外線受信アンテナの配置例を示す模式図。
【図６】従来例において、使用する赤外線ワイヤレスマイクロホンと赤外線受信アンテナの配置例を示す模式図。
【符号の説明】
【００３５】
１０  赤外線受信アンテナ
１１  フォトダイオード
１２  コイル
１３  抵抗素子
１４  増幅回路
１Ｂ，２Ｂ  受信機
Ｍ１〜Ｍ４  赤外線ワイヤレスマイクロホン
【図１】
2005151274.tif 000003
【図２】
2005151274.tif 000004
【図３】
2005151274.tif 000005
【図４】
2005151274.tif 000006
【図５】
2005151274.tif 000007
【図６】
2005151274.tif 000008